(57)【要約】【課題】本発明は、モータ固定子の結線固定装置を提供する。【解決手段】一側に径方向に配列される複数のリング溝を有し、この側の外縁に位置する複数の端子収納溝をさらに有する収納箱と、リング溝の中に収納される弧状保持部と、リング溝の外に露出し、それぞれ端子収納溝に一部収納され、弧状保持部の上縁に接続され水平に曲げられた両端子とをそれぞれ含む複数のフラット導体と、を備え、少なくとも一つの端子は、少なくとも一つのリング溝の上方を跨ぐ延伸部分を有し、延伸部分と、延伸部分に跨がれるこの少なくとも一つのリング溝におけるフラット導体の弧状保持部との間の距離は、一定値であるモータ固定子の結線固定装置。【選択図】図２
2018113844.tif 000002
【特許請求の範囲】
【請求項１】
一側に径方向に配列される複数のリング溝を有し、前記一側の外縁に位置する複数の端子収納溝をさらに有する収納箱と、
前記リング溝の中に収納される弧状保持部と、前記リング溝の外に露出し、それぞれ前記端子収納溝のうちの両端子収納溝に収納され、前記弧状保持部の上縁に接続され水平に曲げられた両端子と、をそれぞれ含む複数のフラット導体と、を備え、
前記端子のうちの少なくとも一つの端子は、前記リング溝のうちの少なくとも一つのリング溝の上方を跨ぐ延伸部分を有し、且つ、前記延伸部分と、前記延伸部分に跨がれる前記少なくとも一つのリング溝における前記フラット導体の前記弧状保持部との間の距離は、一定値であるモータ固定子の結線固定装置。
【請求項２】
前記少なくとも一つの端子は、
前記弧状保持部の上縁と前記延伸部分との間に接続され、前記リング溝の外に露出する立設部分と、
前記延伸部分の前記立設部分に対向する一端と接続する結線部分と、
を更に含む請求項１に記載のモータ固定子の結線固定装置。
【請求項３】
前記結線部分は、前記収納箱の前記一側の外縁の外まで延伸し、固定子の結線端と固定するように配置される請求項２に記載のモータ固定子の結線固定装置。
【請求項４】
前記フラット導体は、
第１の弧状保持部と、前記第１の弧状保持部の上縁に接続され水平に曲げられた第１の端子及び第２の端子とを含む第１のフラット導体と、
第２の弧状保持部と、前記第２の弧状保持部の上縁に接続され水平に曲げられた第３の端子及び第４の端子とを含む第２のフラット導体と、を備え、
前記第１の端子は、前記第３の端子と前記第４の端子との間に位置する請求項１に記載のモータ固定子の結線固定装置。
【請求項５】
前記第１の端子は、前記第３の端子と前記第４の端子に接触しない請求項４に記載のモータ固定子の結線固定装置。
【請求項６】
前記第１のフラット導体の前記第１の端子と前記第２の端子は、前記リング溝のうちの少なくとも一つのリング溝の上方を跨ぐ第１の延伸部分をそれぞれ含み、前記第２のフラット導体の前記第３の端子と前記第４の端子は、前記リング溝のうちの少なくとも一つのリング溝の上方を跨ぐ第２の延伸部分をそれぞれ含み、且つ前記第１の延伸部分と前記第２の延伸部分とは、長さが異なる請求項４又は請求項５に記載のモータ固定子の結線固定装置。
【請求項７】
前記リング溝は、前記第１の弧状保持部を収納する第１のリング溝と、前記第２の弧状保持部を収納する第２のリング溝とを含み、前記端子収納溝は、前記第１の端子と前記第２の端子をそれぞれ一部収納する二つの第１の端子収納溝と、前記第３の端子と前記第４の端子をそれぞれ一部収納する二つの第２の端子収納溝とを含み、前記第１の延伸部分の長さは、前記第１のリング溝から前記第１の端子収納溝のいずれかまでの距離であり、且つ前記第２の延伸部分の長さは、前記第２のリング溝から前記第２の端子収納溝のいずれかまでの距離である請求項６に記載のモータ固定子の結線固定装置。
【請求項８】
前記収納箱は、対応する前記リング溝の入り口にそれぞれ一部延伸する複数のテノンを更に有し、且つ前記弧状保持部のそれぞれは、対応する前記リング溝の底部と対応する前記テノンとの間に係合される請求項１乃至請求項７のいずれか一項に記載のモータ固定子の結線固定装置。
【請求項９】
前記収納箱の前記一側に取り外し可能に被せられ、それぞれ巻線の少なくとも一つの箇所に揃う複数の出線孔を有する蓋を更に含み、前記フラット導体は、前記複数の巻線を構成する請求項１乃至請求項８のいずれか一項に記載のモータ固定子の結線固定装置。
【請求項１０】
前記フラット導体は、複数の巻線を構成し、且つ前記複数の巻線のそれぞれにおける前記フラット導体の前記弧状保持部の円周方向における長さと前記端子の径方向における長さとの総和は、実際、一定値に近い請求項１乃至請求項９のいずれか一項に記載のモータ固定子の結線固定装置。
【発明の詳細な説明】
【技術分野】
【０００１】
本発明は、モータ固定子の結線固定装置に関する。
【背景技術】
【０００２】
科学技術が益々進歩している時代において、電機モータ産業は、現代の核心的な産業の一つである。モータは、電機エネルギーを運動エネルギーに転換する電気装置であり、そのパワー及び他の安定性も日進月歩で改良されている。現在の業界のニーズとしては、モータの体積の縮小と取り付けやすさが、かなり重要な課題になる。
【発明の概要】
【発明が解決しようとする課題】
【０００３】
しかしながら、現行のモータの結線システムは、複雑に動作し、銅線の使用量が減少しにくいだけでなく、作業員の操作の利便性にも影響を及ばす。具体的には、従来技術において、巻線コイルと導線コイルの間の結線作業が手動で行われ、煩雑で時間がかかるので、人的コストが高い。
【０００４】
これに鑑みて、本発明の一目的は、モータの体積を効果的に短縮でき、取り付け作業フローを簡略化できるモータ固定子の結線固定装置を提供することにある。
【課題を解決するための手段】
【０００５】
上記目的を達成するために、本発明の一実施形態によれば、モータ固定子の結線固定装置は、一側に径方向に配列される複数のリング溝を有し、前記一側の外縁に位置する複数の端子収納溝をさらに有する収納箱と、リング溝の中に収納される弧状保持部とリング溝の外に露出し、それぞれ端子収納溝に一部収納され、弧状保持部の上縁に接続され水平に曲げられた両端子とをそれぞれ含む複数のフラット導体と、を備え、端子のうちの少なくとも一つの端子は、リング溝のうちの少なくとも一つのリング溝の上方を跨ぐ延伸部分を有し、延伸部分と延伸部分に跨がれる前記少なくとも一つのリング溝におけるフラット導体との間の距離は、一定値である。
【０００６】
本発明の一つ又は複数の実施形態において、上記の少なくとも一つの端子は、弧状保持部の上縁と延伸部分との間に接続され、リング溝の外に露出する立設部分と、延伸部分の立設部分に対向する一端と接続する結線部分と、を更に含む。
【０００７】
本発明の一つ又は複数の実施形態において、上記の結線部分は、収納箱の前記一側の外縁の外まで延伸し、固定子の結線端と固定するように配置される。
【０００８】
本発明の一つ又は複数の実施形態において、上記のフラット導体は、第１の弧状保持部と第１の弧状保持部の上縁に接続され水平に曲げられた第１の端子及び第２の端子とを含む第１のフラット導体と、第２の弧状保持部と第２の弧状保持部の上縁に接続され水平に曲げられた第３の端子及び第４の端子とを含む第２のフラット導体と、を備え、第１の端子が第３の端子と第４の端子との間に位置する。
【０００９】
本発明の一つ又は複数の実施形態において、上記の第１の端子は、第３の端子と第４の端子に接触しない。
【００１０】
本発明の一つ又は複数の実施形態において、上記の第１のフラット導体における第１の端子と第２の端子は、それぞれリング溝のうちの少なくとも一つのリング溝の上方を跨ぐ第１の延伸部分を含む。第２のフラット導体における第３の端子と第４の端子は、それぞれリング溝のうちの少なくとも一つのリング溝の上方を跨ぐ第２の延伸部分を含む。第１の延伸部分と第２の延伸部分とは、長さが異なる。
【００１１】
本発明の一つ又は複数の実施形態において、上記のリング溝は、第１の弧状保持部を収納する第１のリング溝と第２の弧状保持部を収納する第２のリング溝とを含む。端子収納溝は、それぞれ第１の端子と第２の端子を一部収納する二つの第１の端子収納溝と、それぞれ第３の端子と第４の端子を一部収納する二つの第２の端子収納溝と、を含む。第１の延伸部分の長さは、第１のリング溝からいずれかの第１の端子収納溝までの距離である。第２の延伸部分の長さは、第２のリング溝からいずれかの第２の端子収納溝までの距離である。
【００１２】
本発明の一つ又は複数の実施形態において、上記の収納箱は、複数のテノンを更に有する。各テノンは、対応するリング溝の入り口に一部延伸する。各弧状保持部は、対応するリング溝の底部と対応するテノンとの間に係合される。
【００１３】
本発明の一つ又は複数の実施形態において、上記のモータ固定子の結線固定装置は、収納箱の前記一側に取り外し可能に被せられ、複数の出線孔を有する蓋を更に含む。フラット導体は、複数の巻線を構成する。出線孔は、それぞれ前記巻線の少なくとも一つの箇所に揃う。
【００１４】
本発明の一つ又は複数の実施形態において、上記のフラット導体は、複数の巻線を構成する。各巻線におけるフラット導体の弧状保持部の円周方向における長さと端子の径方向における長さとの総和は、実際に一定値に近い。
【発明の効果】
【００１５】
上記をまとめると、本発明のモータ固定子の結線固定装置において、フラット導体の端子の延伸部分と延伸部分に跨がれるリング溝におけるフラット導体の弧状保持部との間の距離を同じ一定値に近くすることにより、導体断面を変化させることだけで各フラット導体の磁束抵抗を同一にすることができる。端子の立設部分の設置により、各延伸部分と延伸部分に跨がれるリング溝内の弧状保持部との接触による短絡という問題を効果的に避けることができる。端子の結線部分の長さを一致（即ち、全ての結線部分の末端は、実際に同心円状に配列される）にすることにより、モータの固定子の結線端と固定しやすくすることができる。対応するフラット導体を係合するようにリング溝の入り口に配置されるテノンを設けることにより、弧状保持部が震動により対応するリング溝の入り口から飛び散るという問題を効果的に防止することができる。且つ、先ず各巻線のフラット導体の長さの総和を近くすることにより、次にフラット導体の外形を局所的に調整することにより、各巻線の抵抗を完全に一致させるという目的を達成することができる。
【００１６】
以上述べたのは、発明が解决しようとする課題、課題を解决するための手段、及びその効果等を記述するためのものであり、本発明の具体的な細部が、下記の実施形態及び関連する図面において詳しく説明する。
【図面の簡単な説明】
【００１７】
本発明の上記及び他の目的、特徴、メリット及び実施例をより分かりやすくするために、添付図面の説明は以下の通りである。
【図１】本発明の一実施形態によるモータとモータ固定子の結線固定装置を示す分解斜視図である。
【図２】図１のモータ固定子の結線固定装置を示す分解斜視図である。
【図３】本発明の一実施形態によるモータ固定子の結線固定装置を示す部分拡大図であり、ただし、フラット導体は、リング溝内に収納される。
【図４Ａ】図３の線分４Ａ−４Ａに沿う部分の構造を示す部分断面斜視図である。
【図４Ｂ】図３の線分４Ｂ−４Ｂに沿う部分の構造を示す部分断面斜視図である。
【発明を実施するための形態】
【００１８】
以下に、図面で本発明の複数の実施形態を開示するが、明瞭に説明するために、多くの実務上の細部は、以下の説明において併せて説明する。しかしながら、了解すべきなのは、これらの実務上の細部は、本発明を制限するためのものではない。即ち、本発明の実施形態の一部において、これらの実務上の細部は必ずしも必要ではない。又、図面を簡略化するために、従来慣用の構造と素子は、図面において簡単で模式的に作図される。
【００１９】
図１、図２と図３を参照されたい。図１は、本発明の一実施形態によるモータ２００とモータ固定子の結線固定装置１００を示す分解斜視図である。図２は、図１のモータ固定子の結線固定装置１００を示す分解斜視図である。図３は、本発明の一実施形態によるモータ固定子の結線固定装置１００を示す部分拡大図であり、フラット導体は、リング溝内に収納される。
【００２０】
図１から図３に示すように、本実施形態において、モータ固定子の結線固定装置１００は、収納箱１１０と複数のフラット導体とを含む。収納箱１１０は、複数のリング溝を有する。リング溝は、収納箱１１０の一側に径方向に配列される。収納箱１１０は、複数の端子収納溝を更に有する。端子収納溝とリング溝は、収納箱１１０の同じ側に位置し、且つ端子収納溝は、収納箱１１０の外縁に位置する。
【００２１】
例として、図２、図３に示すように、モータ固定子の結線固定装置１００は、少なくとも第１のフラット導体１２０Ａと第２のフラット導体１２０Ｂとを含む。収納箱１１０は、少なくとも第１のリング溝１１１Ａと第２のリング溝１１１Ｂとを有する。第１のリング溝１１１Ａと第２のリング溝１１１Ｂは、径方向に配列され、（両者の間に、リング溝が介在する）。収納箱１１０は、少なくとも第１の端子収納溝１１２Ａと第２の端子収納溝１１２Ｂとを更に有する。第１の端子収納溝１１２Ａ、第２の端子収納溝１１２Ｂ、第１のリング溝１１１Ａと第２のリング溝１１１Ｂは、何れも収納箱１１０の同じ側に位置し、且つ第１の端子収納溝１１２Ａ及び第２の端子収納溝１１２Ｂは、収納箱１１０の外縁に位置する。
【００２２】
更に、各フラット導体は、弧状保持部と、弧状保持部の上縁に接続され水平に曲げられた両端子と、を含む。弧状保持部は、リング溝の中に収納される。端子は、リング溝の外に露出し、それぞれ端子収納溝の中に一部収納される。
【００２３】
例として、図２、図３に示すように、第１のフラット導体１２０Ａ及び第２のフラット導体１２０Ｂは、それぞれ第１の弧状保持部１２１Ａと第２の弧状保持部１２１Ｂとを含む。第１のフラット導体１２０Ａは、第１の弧状保持部１２１Ａの上縁に接続され水平に曲げられた第１の端子１２２Ａ１と第２の端子１２２Ａ２とを更に含む。第２のフラット導体１２０Ｂは、第２の弧状保持部１２１Ｂの上縁に接続され水平に曲げられた第３の端子１２２Ｂ１と第４の端子１２２Ｂ２とを更に含む。第１の弧状保持部１２１Ａと第２の弧状保持部１２１Ｂは、それぞれ第１のリング溝１１１Ａと第２のリング溝１１１Ｂの中に収納される。第１の端子１２２Ａ１と第２の端子１２２Ａ２は、第１のリング溝１１１Ａの外に露出し、それぞれ二つの第１の端子収納溝１１２Ａの中に一部収納される。第３の端子１２２Ｂ１と第４の端子１２２Ｂ２は、第２のリング溝１１１Ｂの外に露出し、それぞれ二つの第２の端子収納溝１１２Ｂの中に一部収納される。
【００２４】
特に、本実施形態において、全てのフラット導体における少なくとも一つの端子は、延伸部分を有する。延伸部分は、リング溝のうちの少なくとも一つのリング溝の上方を跨ぐ。延伸部分と延伸部分に跨がれる少なくとも一つのリング溝におけるフラット導体の弧状保持部との間の距離は、一定値である。
【００２５】
例として、図３から図４Ｂを参照されたい。図４Ａは、図３の線分４Ａ−４Ａに沿う部分の構造を示す部分断面斜視図である。図４Ｂは、図３の線分４Ｂ−４Ｂに沿う部分の構造を示す部分断面斜視図である。図３から図４Ｂに示すように、第１のフラット導体１２０Ａの第１の端子１２２Ａ１と第２の端子１２２Ａ２は、それぞれ第１の延伸部分１２２Ａ１１（図３と図４Ａは、第１の端子１２２Ａ１のみを模式的に図示する）を含む。第１の延伸部分１２２Ａ１１は、二つのリング溝の上方を跨ぐ。又、第２のフラット導体１２０Ｂの第３の端子１２２Ｂ１と第４の端子１２２Ｂ２は、それぞれ第２の延伸部分１２２Ｂ１１（図３と図４Ｂは、第３の端子１２２Ｂ１のみを模式的に図示する）を含む。第２の延伸部分１２２Ｂ１１は、四つのリング溝（第１のリング溝１１１Ａを含む）の上方を跨ぐ。跨がれるリング溝の数量が異なることにより、第１の延伸部分１２２Ａ１１の長さと第２の延伸部分１２２Ｂ１１の長さが異なることになってしまう。本実施形態において、第１の延伸部分１２２Ａ１１の長さは、第１のリング溝１１１Ａからいずれかの第１の端子収納溝１１２Ａまでの距離と定義されるが、第２の延伸部分１２２Ｂ１１の長さは、第２のリング溝１１１Ｂからいずれかの第２の端子収納溝１１２Ｂまでの距離と定義される。又、第１の端子１２２Ａ１は、第３の端子１２２Ｂ１と第４の端子１２２Ｂ２との間に位置し、且つ、第１の端子１２２Ａ１は、第３の端子１２２Ｂ１と第４の端子１２２Ｂ２に接触しない。
【００２６】
特に、第１の延伸部分１２２Ａ１１と、第１の延伸部分１２２Ａ１１に各々跨がれる二つのリング溝におけるフラット導体の弧状保持部との間の距離は、第２の延伸部分１２２Ｂ１１と、第２の延伸部分１２２Ｂ１１に各々跨がれる四つのリング溝におけるフラット導体の弧状保持部との間の距離と同様に、同じ一定値に等しい。言い換えれば、少なくとも一つのリング溝における弧状保持部の上方を跨ぐ延伸部分において、延伸部分とその下方の弧状保持部との間の距離は、いずれも同じである。この構造の配置によって、本実施形態によるモータ固定子の結線固定装置１００は、各フラット導体の磁束抵抗を容易に推定できるという技術的効果を有することができる。
【００２７】
詳細には、各フラット導体の端子は、立設部分と結線部分とを更に含む。立設部分は、弧状保持部の上縁と延伸部分との間に接続され、リング溝の外に露出する。結線部分は、延伸部分の立設部分に対向する一端と接続する。且つ、結線部分は、収納箱１１０の外縁の外まで延伸し、モータ２００の固定子の結線端２１０と固定するように配置される（図１参照）。
【００２８】
例として、図３と図４Ａに示すように、第１の端子１２２Ａ１と第２の端子１２２Ａ２は、第１の立設部分１２２Ａ１０と第１の結線部分１２２Ａ１２とを更に含む（図３と図４Ａは、第１の端子１２２Ａ１のみを模式的に図示する）。第１の立設部分１２２Ａ１０は、第１の弧状保持部１２１Ａの上縁と第１の延伸部分１２２Ａ１１との間に接続され、第１のリング溝１１１Ａの外に露出する。第１の結線部分１２２Ａ１２は、第１の延伸部分１２２Ａ１１の第１の立設部分１２２Ａ１０に対向する一端と接続する。図３と図４Ｂに示すように、第３の端子１２２Ｂ１と第４の端子１２２Ｂ２は、第２の立設部分１２２Ｂ１０と第２の結線部分１２２Ｂ１２とを更に含む（図３と図４Ｂは、第３の端子１２２Ｂ１のみを模式的に図示する）。第２の立設部分１２２Ｂ１０は、第２の弧状保持部１２１Ｂの上縁と第２の延伸部分１２２Ｂ１１との間に接続され、第２のリング溝１１１Ｂの外に露出する。第２の結線部分１２２Ｂ１２は、第２の延伸部分１２２Ｂ１１の第２の立設部分１２２Ｂ１０に対向する一端と接続する。
【００２９】
説明すべき点として、立設部分の設置により、各端子と跨がれるリング溝内の弧状保持部との接触による短絡という問題を効果的に避けることができる。且つ、各フラット導体の弧状保持部が異なるリング溝内に位置しても、各フラット導体の結線部分は、依然として異なる長さの延伸部分によって収納箱１１０の外縁の外に延伸し露出する。尚、本実施形態の全てのフラット導体の結線部分の長さは、モータ２００の固定子の結線端２１０と固定するように、いずれも同じである（即ち、全ての結線部分の末端は、実際に同心円状に配列される）。
【００３０】
図３に示すように、本実施形態において、収納箱１１０は、複数のテノン（ほぞ）を更に有する。各テノンは、対応するリング溝の入り口に一部延伸する。各フラット導体の弧状保持部は、対応するリング溝の底部と対応するテノンとの間に係合される。テノンの設置により、モータ２００が稼働している時に、各フラット導体の弧状保持部がモータ２００による震動で対応するリング溝の入り口から飛び散るという問題を効果的に防止する。
【００３１】
例として、収納箱１１０は、少なくとも第１のテノン１１３Ａと第２のテノン１１３Ｂとを有する。第１のテノン１１３Ａと第２のテノン１１３Ｂは、それぞれ第１のリング溝１１１Ａと第２のリング溝１１１Ｂの入り口まで一部延伸する。第１の弧状保持部１２１Ａは、第１のリング溝１１１Ａの底部と第１のテノン１１３Ａとの間に係合されるが、第２の弧状保持部１２１Ｂは、第２のリング溝１１１Ｂの底部と第２のテノン１１３Ｂとの間に係合される。
【００３２】
ある実施形態において、収納箱１１０は、各フラット導体の間に電気的な接続が生じることによる短絡を避けるように、絶縁材料（例えば、プラスチック）から形成してもよい。ある実施形態において、収納箱１１０は、弾性又は可塑性の材料で形成してもよい。これにより、いずれかのフラット導体の弧状保持部が対応するリング溝に取り付けられる時に、対応するテノンは、弧状保持部によって押し退けられ、弧状保持部がリング溝に完全に収納されてから復元して弧状保持部に係合する。
【００３３】
再び図１と図２に戻ると、本実施形態において、モータ固定子の結線固定装置１００は、蓋１３０を更に含む。蓋１３０は、収納箱１１０のリング溝と端子収納溝を設けた同じ側に取り外し可能に被せられ、複数の出線孔１３１を有する。フラット導体は、複数の巻線を構成する。出線孔１３１は、それぞれ前記巻線の少なくとも一つの箇所に揃う。
【００３４】
例として、本実施形態において、モータ固定子の結線固定装置１００のフラット導体は、三つの巻線を構成するが、蓋１３０は、それぞれこの三つの巻線の少なくとも一つの箇所に揃うように、対応的に三つの出線孔１３１を有する。これにより、この三つの巻線は、それぞれ三つの出線孔１３１を介してそれぞれの電源線（図１参照）に電気的に接続されることができる。
【００３５】
ある実施形態において、各巻線におけるフラット導体の弧状保持部の円周方向における長さ及び端子の径方向における長さの総和は、実際に一定値である。例として、そのうちの一つの巻線における全ての弧状保持部の円周方向における長さの総和及び全ての端子の径方向における長さの総和は、それぞれ第１の長さ及び第２の長さであるが、別の巻線における全ての弧状保持部の円周方向における長さの総和及び全ての端子の径方向における長さの総和は、それぞれ第３の長さ及び第４の長さである。本実施形態のモータ固定子の結線固定装置１００は、第１の長さと第２の長さとの総和及び第３の長さと第４の長さとの総和を実際に同一の一定値に近くすることにより、前記両巻線の抵抗を非常に近くすることができる。続いて、この両巻線の抵抗を完全に同じにしようとすると、フラット導体の外形を局所的に調整する（例えば、フラット導体に対して材料を局所的に除去する）ことによって達成することができる。
【００３６】
換言すれば、本実施形態のモータ固定子の結線固定装置１００は、製作時に、先ず、各巻線のフラット導体の長さの総和を近くすることによって各巻線の抵抗を粗調整し、次に、フラット導体の外形を局所的に調整することによって各巻線の抵抗を微調整することができ、各巻線の抵抗を完全に一致させるという目的を更に達成する。
【００３７】
以上の本発明の具体的な実施形態に対する説明より、本発明のモータ固定子の結線固定装置において、フラット導体の端子の延伸部分と延伸部分に跨がれるリング溝におけるフラット導体の弧状保持部との間の距離を同じ一定値に近くすることにより、導体断面を変化させることだけで、各フラット導体の抵抗を同一にすることができることが明らかである。端子の立設部分の設置により、各延伸部分と各延伸部分に跨がれるリング溝内の弧状保持部との接触による短絡という問題を効果的に避けることができる。端子の結線部分の長さを一致させる（即ち、全ての結線部分の末端は、実際、同心円状に配列される）ことにより、モータの固定子の結線端と固定しやすくすることができる。対応するフラット導体を係合するようにリング溝の入り口に配置されるテノンを設けることにより、弧状保持部が震動で対応するリング溝の入り口から飛び散るという問題を効果的に防止することができる。且つ、先ず、各巻線のフラット導体の長さの総和を近くすることにより、次に、フラット導体の外形を局所的に調整することにより、各巻線の抵抗を完全に一致させるという目的を達成することができる。
【００３８】
本発明は、実施形態として上記の通り開示したが、これは本発明を限定するものではない。当業者は、本発明の精神と範囲から逸脱しない限り、各種の変更や修正を加えることができる。従って、本発明の保護範囲は、添付する特許請求の範囲に限定されるものを基準とする。
【符号の説明】
【００３９】
１００  モータ固定子の結線固定装置
１１０  収納箱
１１１Ａ  第１のリング溝
１１１Ｂ  第２のリング溝
１１２Ａ  第１の端子収納溝
１１２Ｂ  第２の端子収納溝
１１３Ａ  第１のテノン
１１３Ｂ  第２のテノン
１２０Ａ  第１のフラット導体
１２０Ｂ  第２のフラット導体
１２１Ａ  第１の弧状保持部
１２１Ｂ  第２の弧状保持部
１２２Ａ１  第１の端子
１２２Ａ２  第２の端子
１２２Ｂ１  第３の端子
１２２Ｂ２  第４の端子
１２２Ａ１０  第１の立設部分
１２２Ｂ１０  第２の立設部分
１２２Ａ１１  第１の延伸部分
１２２Ｂ１１  第２の延伸部分
１２２Ａ１２  第１の結線部分
１２２Ｂ１２  第２の結線部分
１３０  蓋
１３１  出線孔
２００  モータ
２１０  固定子の結線端
【図１】
2018113844.tif 000003
【図２】
2018113844.tif 000004
【図３】
2018113844.tif 000005
【図４Ａ】
2018113844.tif 000006
【図４Ｂ】
2018113844.tif 000007
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
一側に径方向に配列される複数のリング溝を有し、前記一側の外縁に位置する複数の端子収納溝をさらに有する収納箱と、
弧状保持部と、前記弧状保持部の上縁に接続され水平に曲げられた二つの端子と、をそれぞれ含む複数のフラット導体と、を備え、
複数の弧状保持部は前記複数のリング溝の外に露出し、それぞれ前記複数の端子収納溝のうちの二つに部分的に収納され、
前記二つの端子のうちの少なくとも一つの端子は、前記複数のリング溝のうちの少なくとも一つのリング溝の上方を跨ぐ延伸部分を有し、且つ、前記延伸部分と、前記延伸部分に跨がれる前記少なくとも一つのリング溝における前記フラット導体の前記弧状保持部との間の距離は、一定値であり、
前記複数のリング溝のうち一つは、前記複数のフラット導体のうち所定の数のフラット導体の複数の弧状保持部を収納し、前記複数のフラット導体のうち前記所定の数のフラット導体の前記複数の弧状保持部は互いに分離していることを特徴とするモータ固定子の結線固定装置。
【請求項２】
前記少なくとも一つの端子は、
前記弧状保持部の上縁と前記延伸部分との間に接続され、前記複数のリング溝の外に露出する立設部分と、
前記延伸部分の前記立設部分に対向する一端と接続する結線部分と、
を更に含む請求項１に記載のモータ固定子の結線固定装置。
【請求項３】
前記結線部分は、前記収納箱の前記一側の外縁の外まで延伸し、固定子の結線端と固定するように配置される請求項２に記載のモータ固定子の結線固定装置。
【請求項４】
前記複数のフラット導体は、
第１の弧状保持部と、前記第１の弧状保持部の上縁に接続され水平に曲げられた第１の端子及び第２の端子とを含む第１のフラット導体と、
第２の弧状保持部と、前記第２の弧状保持部の上縁に接続され水平に曲げられた第３の端子及び第４の端子とを含む第２のフラット導体と、を備え、
前記第１の端子は、前記第３の端子と前記第４の端子との間に位置する請求項１に記載のモータ固定子の結線固定装置。
【請求項５】
前記第１の端子は、前記第３の端子と前記第４の端子に接触しない請求項４に記載のモータ固定子の結線固定装置。
【請求項６】
前記第１のフラット導体の前記第１の端子と前記第２の端子は、前記複数のリング溝のうちの少なくとも一つのリング溝の上方を跨ぐ第１の延伸部分をそれぞれ含み、前記第２のフラット導体の前記第３の端子と前記第４の端子は、前記複数のリング溝のうちの少なくとも一つのリング溝の上方を跨ぐ第２の延伸部分をそれぞれ含み、且つ前記第１の延伸部分と前記第２の延伸部分とは、長さが異なる請求項４又は請求項５に記載のモータ固定子の結線固定装置。
【請求項７】
前記複数のリング溝は、前記第１の弧状保持部を収納する第１のリング溝と、前記第２の弧状保持部を収納する第２のリング溝とを含み、前記複数の端子収納溝は、前記第１の端子と前記第２の端子をそれぞれ部分的に収納する二つの第１の端子収納溝と、前記第３の端子と前記第４の端子をそれぞれ部分的に収納する二つの第２の端子収納溝とを含み、前記第１の延伸部分の長さは、前記第１のリング溝から前記二つの第１の端子収納溝のいずれかまでの距離であり、且つ前記第２の延伸部分の長さは、前記第２のリング溝から前記二つの第２の端子収納溝のいずれかまでの距離である請求項６に記載のモータ固定子の結線固定装置。
【請求項８】
前記収納箱は、複数の係止部を更に有し、前記複数の係止部のそれぞれは前記複数のリング溝のうち対応する一つの入り口に部分的に延伸し、前記複数の弧状保持部のそれぞれは、前記複数のリング溝のうち対応する一つの底部と前記複数の係止部のうち対応する一つとの間に係合される請求項１乃至請求項７のいずれか一項に記載のモータ固定子の結線固定装置。
【請求項９】
前記収納箱の前記一側に取り外し可能に被せられ、複数の出線孔を有する蓋を更に含み、前記複数のフラット導体はそれぞれ前記複数の出線孔に対応して複数の巻線を構成し、前記複数の出線孔はそれぞれ前記複数の巻線のうち対応する一つの少なくとも一箇所に揃えられる請求項１乃至請求項８のいずれか一項に記載のモータ固定子の結線固定装置。
【請求項１０】
前記複数のフラット導体は、複数の巻線を構成し、且つ前記複数の巻線のそれぞれにおいて、前記複数のフラット導体の前記複数の弧状保持部の円周方向における長さと前記複数の端子の径方向における長さとの総和は、一定値に近い請求項１乃至請求項９のいずれか一項に記載のモータ固定子の結線固定装置。
【手続補正２】
【補正対象書類名】明細書
【補正対象項目名】全文
【補正方法】変更
【補正の内容】
【発明の詳細な説明】
【技術分野】
【０００１】
本発明は、モータ固定子の結線固定装置に関する。
【背景技術】
【０００２】
科学技術が益々進歩している時代において、電機モータ産業は、現代の核心的な産業の一つである。モータは、電機エネルギーを運動エネルギーに転換する電気装置であり、そのパワー及び他の安定性も日進月歩で改良されている。現在の業界のニーズとしては、モータの体積の縮小と取り付けやすさが、かなり重要な課題になる。
【発明の概要】
【発明が解決しようとする課題】
【０００３】
しかしながら、現行のモータの結線システムは、複雑に動作し、銅線の使用量が減少しにくいだけでなく、作業員の操作の利便性にも影響を及ばす。具体的には、従来技術において、巻線コイルと導線コイルの間の結線作業が手動で行われ、煩雑で時間がかかるので、人的コストが高い。
【０００４】
これに鑑みて、本発明の一目的は、モータの体積を効果的に短縮でき、取り付け作業フローを簡略化できるモータ固定子の結線固定装置を提供することにある。
【課題を解決するための手段】
【０００５】
上記目的を達成するために、本発明の一実施形態によれば、モータ固定子の結線固定装置は、一側に径方向に配列される複数のリング溝を有し、前記一側の外縁に位置する複数の端子収納溝をさらに有する収納箱と、弧状保持部と、弧状保持部の上縁に接続され水平に曲げられた二つの端子と、をそれぞれ含む複数のフラット導体と、を備え、複数の弧状保持部は複数のリング溝の外に露出し、それぞれ複数の端子収納溝のうちの二つに部分的に収納され、二つの端子のうちの少なくとも一つの端子は、複数のリング溝のうちの少なくとも一つのリング溝の上方を跨ぐ延伸部分を有し、且つ、延伸部分と、延伸部分に跨がれる少なくとも一つのリング溝におけるフラット導体の弧状保持部との間の距離は、一定値であり、複数のリング溝のうち一つは、複数のフラット導体のうち所定の数のフラット導体の複数の弧状保持部を収納し、複数のフラット導体のうち所定の数のフラット導体の複数の弧状保持部は互いに分離していることを特徴とする。
【０００６】
本発明の一つ又は複数の実施形態において、上記の少なくとも一つの端子は、弧状保持部の上縁と延伸部分との間に接続され、複数のリング溝の外に露出する立設部分と、延伸部分の立設部分に対向する一端と接続する結線部分と、を更に含む。
【０００７】
本発明の一つ又は複数の実施形態において、上記の結線部分は、収納箱の前記一側の外縁の外まで延伸し、固定子の結線端と固定するように配置される。
【０００８】
本発明の一つ又は複数の実施形態において、上記の複数のフラット導体は、第１の弧状保持部と第１の弧状保持部の上縁に接続され水平に曲げられた第１の端子及び第２の端子とを含む第１のフラット導体と、第２の弧状保持部と第２の弧状保持部の上縁に接続され水平に曲げられた第３の端子及び第４の端子とを含む第２のフラット導体と、を備え、第１の端子が第３の端子と第４の端子との間に位置する。
【０００９】
本発明の一つ又は複数の実施形態において、上記の第１の端子は、第３の端子と第４の端子に接触しない。
【００１０】
本発明の一つ又は複数の実施形態において、上記の第１のフラット導体における第１の端子と第２の端子は、それぞれ複数のリング溝のうちの少なくとも一つのリング溝の上方を跨ぐ第１の延伸部分を含む。第２のフラット導体における第３の端子と第４の端子は、それぞれ複数のリング溝のうちの少なくとも一つのリング溝の上方を跨ぐ第２の延伸部分を含む。第１の延伸部分と第２の延伸部分とは、長さが異なる。
【００１１】
本発明の一つ又は複数の実施形態において、上記の複数のリング溝は、第１の弧状保持部を収納する第１のリング溝と第２の弧状保持部を収納する第２のリング溝とを含む。複数の端子収納溝は、それぞれ第１の端子と第２の端子を部分的に収納する二つの第１の端子収納溝と、それぞれ第３の端子と第４の端子を部分的に収納する二つの第２の端子収納溝と、を含む。第１の延伸部分の長さは、第１のリング溝から二つの第１の端子収納溝のいずれかまでの距離である。第２の延伸部分の長さは、第２のリング溝から二つの第２の端子収納溝のいずれかまでの距離である。
【００１２】
本発明の一つ又は複数の実施形態において、上記の収納箱は、複数の係止部を更に有する。複数の係止部のそれぞれは、複数のリング溝のうち対応する一つの入り口に部分的に延伸する。複数の弧状保持部のそれぞれは、複数のリング溝のうち対応する一つの底部と複数の係止部のうち対応する一つとの間に係合される。
【００１３】
本発明の一つ又は複数の実施形態において、上記のモータ固定子の結線固定装置は、収納箱の前記一側に取り外し可能に被せられ、複数の出線孔を有する蓋を更に含む。複数のフラット導体はそれぞれ複数の出線孔に対応して、複数の巻線を構成する。複数の出線孔は、それぞれ前記複数の巻線のうち対応する一つの少なくとも一箇所に揃えられる。
【００１４】
本発明の一つ又は複数の実施形態において、上記のフラット導体は、複数の巻線を構成する。複数の巻線のそれぞれにおいて、フラット導体の弧状保持部の円周方向における長さと端子の径方向における長さとの総和は、一定値に近い。
【発明の効果】
【００１５】
上記をまとめると、本発明のモータ固定子の結線固定装置において、フラット導体の端子の延伸部分と延伸部分に跨がれるリング溝におけるフラット導体の弧状保持部との間の距離を同じ一定値に近くすることにより、導体断面を変化させることだけで各フラット導体の磁束抵抗を同一にすることができる。端子の立設部分の設置により、各延伸部分と延伸部分に跨がれるリング溝内の弧状保持部との接触による短絡という問題を効果的に避けることができる。端子の結線部分の長さを一致（即ち、全ての結線部分の末端は、実際に同心円状に配列される）にすることにより、モータの固定子の結線端と固定しやすくすることができる。対応するフラット導体を係合するようにリング溝の入り口に配置されるテノンを設けることにより、弧状保持部が震動により対応するリング溝の入り口から飛び散るという問題を効果的に防止することができる。且つ、先ず各巻線のフラット導体の長さの総和を近くすることにより、次にフラット導体の外形を局所的に調整することにより、各巻線の抵抗を完全に一致させるという目的を達成することができる。
【００１６】
以上述べたのは、発明が解决しようとする課題、課題を解决するための手段、及びその効果等を記述するためのものであり、本発明の具体的な細部が、下記の実施形態及び関連する図面において詳しく説明する。
【図面の簡単な説明】
【００１７】
本発明の上記及び他の目的、特徴、メリット及び実施例をより分かりやすくするために、添付図面の説明は以下の通りである。
【図１】本発明の一実施形態によるモータとモータ固定子の結線固定装置を示す分解斜視図である。
【図２】図１のモータ固定子の結線固定装置を示す分解斜視図である。
【図３】本発明の一実施形態によるモータ固定子の結線固定装置を示す部分拡大図であり、ただし、フラット導体は、リング溝内に収納される。
【図４Ａ】図３の線分４Ａ−４Ａに沿う部分の構造を示す部分断面斜視図である。
【図４Ｂ】図３の線分４Ｂ−４Ｂに沿う部分の構造を示す部分断面斜視図である。
【発明を実施するための形態】
【００１８】
以下に、図面で本発明の複数の実施形態を開示するが、明瞭に説明するために、多くの実務上の細部は、以下の説明において併せて説明する。しかしながら、了解すべきなのは、これらの実務上の細部は、本発明を制限するためのものではない。即ち、本発明の実施形態の一部において、これらの実務上の細部は必ずしも必要ではない。又、図面を簡略化するために、従来慣用の構造と素子は、図面において簡単で模式的に作図される。
【００１９】
図１、図２と図３を参照されたい。図１は、本発明の一実施形態によるモータ２００とモータ固定子の結線固定装置１００を示す分解斜視図である。図２は、図１のモータ固定子の結線固定装置１００を示す分解斜視図である。図３は、本発明の一実施形態によるモータ固定子の結線固定装置１００を示す部分拡大図であり、フラット導体は、リング溝内に収納される。
【００２０】
図１から図３に示すように、本実施形態において、モータ固定子の結線固定装置１００は、収納箱１１０と複数のフラット導体とを含む。収納箱１１０は、複数のリング溝を有する。リング溝は、収納箱１１０の一側に径方向に配列される。収納箱１１０は、複数の端子収納溝を更に有する。端子収納溝とリング溝は、収納箱１１０の同じ側に位置し、且つ端子収納溝は、収納箱１１０の外縁に位置する。
【００２１】
例として、図２、図３に示すように、モータ固定子の結線固定装置１００は、少なくとも第１のフラット導体１２０Ａと第２のフラット導体１２０Ｂとを含む。収納箱１１０は、少なくとも第１のリング溝１１１Ａと第２のリング溝１１１Ｂとを有する。第１のリング溝１１１Ａと第２のリング溝１１１Ｂは、径方向に配列され、（両者の間に、リング溝が介在する）。収納箱１１０は、少なくとも第１の端子収納溝１１２Ａと第２の端子収納溝１１２Ｂとを更に有する。第１の端子収納溝１１２Ａ、第２の端子収納溝１１２Ｂ、第１のリング溝１１１Ａと第２のリング溝１１１Ｂは、何れも収納箱１１０の同じ側に位置し、且つ第１の端子収納溝１１２Ａ及び第２の端子収納溝１１２Ｂは、収納箱１１０の外縁に位置する。
【００２２】
更に、各フラット導体は、弧状保持部と、弧状保持部の上縁に接続され水平に曲げられた両端子と、を含む。弧状保持部は、リング溝の中に収納される。端子は、リング溝の外に露出し、それぞれ端子収納溝の中に一部収納される。
【００２３】
例として、図２、図３に示すように、第１のフラット導体１２０Ａ及び第２のフラット導体１２０Ｂは、それぞれ第１の弧状保持部１２１Ａと第２の弧状保持部１２１Ｂとを含む。第１のフラット導体１２０Ａは、第１の弧状保持部１２１Ａの上縁に接続され水平に曲げられた第１の端子１２２Ａ１と第２の端子１２２Ａ２とを更に含む。第２のフラット導体１２０Ｂは、第２の弧状保持部１２１Ｂの上縁に接続され水平に曲げられた第３の端子１２２Ｂ１と第４の端子１２２Ｂ２とを更に含む。第１の弧状保持部１２１Ａと第２の弧状保持部１２１Ｂは、それぞれ第１のリング溝１１１Ａと第２のリング溝１１１Ｂの中に収納される。第１の端子１２２Ａ１と第２の端子１２２Ａ２は、第１のリング溝１１１Ａの外に露出し、それぞれ二つの第１の端子収納溝１１２Ａの中に一部収納される。第３の端子１２２Ｂ１と第４の端子１２２Ｂ２は、第２のリング溝１１１Ｂの外に露出し、それぞれ二つの第２の端子収納溝１１２Ｂの中に一部収納される。
【００２４】
特に、本実施形態において、全てのフラット導体における少なくとも一つの端子は、延伸部分を有する。延伸部分は、リング溝のうちの少なくとも一つのリング溝の上方を跨ぐ。延伸部分と延伸部分に跨がれる少なくとも一つのリング溝におけるフラット導体の弧状保持部との間の距離は、一定値である。
【００２５】
例として、図３から図４Ｂを参照されたい。図４Ａは、図３の線分４Ａ−４Ａに沿う部分の構造を示す部分断面斜視図である。図４Ｂは、図３の線分４Ｂ−４Ｂに沿う部分の構造を示す部分断面斜視図である。図３から図４Ｂに示すように、第１のフラット導体１２０Ａの第１の端子１２２Ａ１と第２の端子１２２Ａ２は、それぞれ第１の延伸部分１２２Ａ１１（図３と図４Ａは、第１の端子１２２Ａ１のみを模式的に図示する）を含む。第１の延伸部分１２２Ａ１１は、二つのリング溝の上方を跨ぐ。又、第２のフラット導体１２０Ｂの第３の端子１２２Ｂ１と第４の端子１２２Ｂ２は、それぞれ第２の延伸部分１２２Ｂ１１（図３と図４Ｂは、第３の端子１２２Ｂ１のみを模式的に図示する）を含む。第２の延伸部分１２２Ｂ１１は、四つのリング溝（第１のリング溝１１１Ａを含む）の上方を跨ぐ。跨がれるリング溝の数量が異なることにより、第１の延伸部分１２２Ａ１１の長さと第２の延伸部分１２２Ｂ１１の長さが異なることになってしまう。本実施形態において、第１の延伸部分１２２Ａ１１の長さは、第１のリング溝１１１Ａからいずれかの第１の端子収納溝１１２Ａまでの距離と定義されるが、第２の延伸部分１２２Ｂ１１の長さは、第２のリング溝１１１Ｂからいずれかの第２の端子収納溝１１２Ｂまでの距離と定義される。又、第１の端子１２２Ａ１は、第３の端子１２２Ｂ１と第４の端子１２２Ｂ２との間に位置し、且つ、第１の端子１２２Ａ１は、第３の端子１２２Ｂ１と第４の端子１２２Ｂ２に接触しない。
【００２６】
特に、第１の延伸部分１２２Ａ１１と、第１の延伸部分１２２Ａ１１に各々跨がれる二つのリング溝におけるフラット導体の弧状保持部との間の距離は、第２の延伸部分１２２Ｂ１１と、第２の延伸部分１２２Ｂ１１に各々跨がれる四つのリング溝におけるフラット導体の弧状保持部との間の距離と同様に、同じ一定値に等しい。言い換えれば、少なくとも一つのリング溝における弧状保持部の上方を跨ぐ延伸部分において、延伸部分とその下方の弧状保持部との間の距離は、いずれも同じである。この構造の配置によって、本実施形態によるモータ固定子の結線固定装置１００は、各フラット導体の磁束抵抗を容易に推定できるという技術的効果を有することができる。
【００２７】
詳細には、各フラット導体の端子は、立設部分と結線部分とを更に含む。立設部分は、弧状保持部の上縁と延伸部分との間に接続され、リング溝の外に露出する。結線部分は、延伸部分の立設部分に対向する一端と接続する。且つ、結線部分は、収納箱１１０の外縁の外まで延伸し、モータ２００の固定子の結線端２１０と固定するように配置される（図１参照）。
【００２８】
例として、図３と図４Ａに示すように、第１の端子１２２Ａ１と第２の端子１２２Ａ２は、第１の立設部分１２２Ａ１０と第１の結線部分１２２Ａ１２とを更に含む（図３と図４Ａは、第１の端子１２２Ａ１のみを模式的に図示する）。第１の立設部分１２２Ａ１０は、第１の弧状保持部１２１Ａの上縁と第１の延伸部分１２２Ａ１１との間に接続され、第１のリング溝１１１Ａの外に露出する。第１の結線部分１２２Ａ１２は、第１の延伸部分１２２Ａ１１の第１の立設部分１２２Ａ１０に対向する一端と接続する。図３と図４Ｂに示すように、第３の端子１２２Ｂ１と第４の端子１２２Ｂ２は、第２の立設部分１２２Ｂ１０と第２の結線部分１２２Ｂ１２とを更に含む（図３と図４Ｂは、第３の端子１２２Ｂ１のみを模式的に図示する）。第２の立設部分１２２Ｂ１０は、第２の弧状保持部１２１Ｂの上縁と第２の延伸部分１２２Ｂ１１との間に接続され、第２のリング溝１１１Ｂの外に露出する。第２の結線部分１２２Ｂ１２は、第２の延伸部分１２２Ｂ１１の第２の立設部分１２２Ｂ１０に対向する一端と接続する。
【００２９】
説明すべき点として、立設部分の設置により、各端子と跨がれるリング溝内の弧状保持部との接触による短絡という問題を効果的に避けることができる。且つ、各フラット導体の弧状保持部が異なるリング溝内に位置しても、各フラット導体の結線部分は、依然として異なる長さの延伸部分によって収納箱１１０の外縁の外に延伸し露出する。尚、本実施形態の全てのフラット導体の結線部分の長さは、モータ２００の固定子の結線端２１０と固定するように、いずれも同じである（即ち、全ての結線部分の末端は、実際に同心円状に配列される）。
【００３０】
図３に示すように、本実施形態において、収納箱１１０は、複数のテノン（ほぞ）を更に有する。各テノンは、対応するリング溝の入り口に一部延伸する。各フラット導体の弧状保持部は、対応するリング溝の底部と対応するテノンとの間に係合される。テノンの設置により、モータ２００が稼働している時に、各フラット導体の弧状保持部がモータ２００による震動で対応するリング溝の入り口から飛び散るという問題を効果的に防止する。
【００３１】
例として、収納箱１１０は、少なくとも第１のテノン１１３Ａと第２のテノン１１３Ｂとを有する。第１のテノン１１３Ａと第２のテノン１１３Ｂは、それぞれ第１のリング溝１１１Ａと第２のリング溝１１１Ｂの入り口まで一部延伸する。第１の弧状保持部１２１Ａは、第１のリング溝１１１Ａの底部と第１のテノン１１３Ａとの間に係合されるが、第２の弧状保持部１２１Ｂは、第２のリング溝１１１Ｂの底部と第２のテノン１１３Ｂとの間に係合される。
【００３２】
ある実施形態において、収納箱１１０は、各フラット導体の間に電気的な接続が生じることによる短絡を避けるように、絶縁材料（例えば、プラスチック）から形成してもよい。ある実施形態において、収納箱１１０は、弾性又は可塑性の材料で形成してもよい。これにより、いずれかのフラット導体の弧状保持部が対応するリング溝に取り付けられる時に、対応するテノンは、弧状保持部によって押し退けられ、弧状保持部がリング溝に完全に収納されてから復元して弧状保持部に係合する。
【００３３】
再び図１と図２に戻ると、本実施形態において、モータ固定子の結線固定装置１００は、蓋１３０を更に含む。蓋１３０は、収納箱１１０のリング溝と端子収納溝を設けた同じ側に取り外し可能に被せられ、複数の出線孔１３１を有する。フラット導体は、複数の巻線を構成する。出線孔１３１は、それぞれ前記巻線の少なくとも一つの箇所に揃う。
【００３４】
例として、本実施形態において、モータ固定子の結線固定装置１００のフラット導体は、三つの巻線を構成するが、蓋１３０は、それぞれこの三つの巻線の少なくとも一つの箇所に揃うように、対応的に三つの出線孔１３１を有する。これにより、この三つの巻線は、それぞれ三つの出線孔１３１を介してそれぞれの電源線（図１参照）に電気的に接続されることができる。
【００３５】
ある実施形態において、各巻線におけるフラット導体の弧状保持部の円周方向における長さ及び端子の径方向における長さの総和は、実際に一定値である。例として、そのうちの一つの巻線における全ての弧状保持部の円周方向における長さの総和及び全ての端子の径方向における長さの総和は、それぞれ第１の長さ及び第２の長さであるが、別の巻線における全ての弧状保持部の円周方向における長さの総和及び全ての端子の径方向における長さの総和は、それぞれ第３の長さ及び第４の長さである。本実施形態のモータ固定子の結線固定装置１００は、第１の長さと第２の長さとの総和及び第３の長さと第４の長さとの総和を実際に同一の一定値に近くすることにより、前記両巻線の抵抗を非常に近くすることができる。続いて、この両巻線の抵抗を完全に同じにしようとすると、フラット導体の外形を局所的に調整する（例えば、フラット導体に対して材料を局所的に除去する）ことによって達成することができる。
【００３６】
換言すれば、本実施形態のモータ固定子の結線固定装置１００は、製作時に、先ず、各巻線のフラット導体の長さの総和を近くすることによって各巻線の抵抗を粗調整し、次に、フラット導体の外形を局所的に調整することによって各巻線の抵抗を微調整することができ、各巻線の抵抗を完全に一致させるという目的を更に達成する。
【００３７】
以上の本発明の具体的な実施形態に対する説明より、本発明のモータ固定子の結線固定装置において、フラット導体の端子の延伸部分と延伸部分に跨がれるリング溝におけるフラット導体の弧状保持部との間の距離を同じ一定値に近くすることにより、導体断面を変化させることだけで、各フラット導体の抵抗を同一にすることができることが明らかである。端子の立設部分の設置により、各延伸部分と各延伸部分に跨がれるリング溝内の弧状保持部との接触による短絡という問題を効果的に避けることができる。端子の結線部分の長さを一致させる（即ち、全ての結線部分の末端は、実際、同心円状に配列される）ことにより、モータの固定子の結線端と固定しやすくすることができる。対応するフラット導体を係合するようにリング溝の入り口に配置されるテノンを設けることにより、弧状保持部が震動で対応するリング溝の入り口から飛び散るという問題を効果的に防止することができる。且つ、先ず、各巻線のフラット導体の長さの総和を近くすることにより、次に、フラット導体の外形を局所的に調整することにより、各巻線の抵抗を完全に一致させるという目的を達成することができる。
【００３８】
本発明は、実施形態として上記の通り開示したが、これは本発明を限定するものではない。当業者は、本発明の精神と範囲から逸脱しない限り、各種の変更や修正を加えることができる。従って、本発明の保護範囲は、添付する特許請求の範囲に限定されるものを基準とする。
【符号の説明】
【００３９】
１００  モータ固定子の結線固定装置
１１０  収納箱
１１１Ａ  第１のリング溝
１１１Ｂ  第２のリング溝
１１２Ａ  第１の端子収納溝
１１２Ｂ  第２の端子収納溝
１１３Ａ  第１のテノン
１１３Ｂ  第２のテノン
１２０Ａ  第１のフラット導体
１２０Ｂ  第２のフラット導体
１２１Ａ  第１の弧状保持部
１２１Ｂ  第２の弧状保持部
１２２Ａ１  第１の端子
１２２Ａ２  第２の端子
１２２Ｂ１  第３の端子
１２２Ｂ２  第４の端子
１２２Ａ１０  第１の立設部分
１２２Ｂ１０  第２の立設部分
１２２Ａ１１  第１の延伸部分
１２２Ｂ１１  第２の延伸部分
１２２Ａ１２  第１の結線部分
１２２Ｂ１２  第２の結線部分
１３０  蓋
１３１  出線孔
２００  モータ  ２１０  固定子の結線端